(57)【要約】【課題】災害速報情報の送信処理における重複送信を抑制する。【解決手段】災害情報検知装置３０で検知された災害情報を受信し、この災害情報に基づく災害速報情報を作成して災害速報情報受信端末５０へ送信する複数の災害速報情報送信装置１０が、災害情報検知装置３０から災害種別ＩＤ、災害発生予定時刻、発生場所、および災害規模を含む災害情報を受信し、この災害情報と送信履歴情報管理データベース２０から取得した送信履歴情報とを災害種別ＩＤおよび災害発生予定時刻に基づいて比較し、他の災害速報情報送信装置１０からの同一の災害に係る送信履歴情報の登録の有無を判定する。判定結果が未登録の場合、受信された災害情報を放送コンテンツに付加した災害速報情報を災害速報情報受信端末５０へ送信する。そして、現在時刻が発生予定時間より過去の送信履歴情報を送信履歴情報管理データベース２０より逐次削除する。【選択図】図１
2010237801.tif 000002
【特許請求の範囲】
【請求項１】
災害情報検知装置において検知された災害情報を受信し、この災害情報に基づく災害速報情報を作成して災害速報情報受信端末へ送信する複数の災害速報情報送信装置と、
これらの災害速報情報装置に接続され、前記災害速報情報送信装置における前記災害速報情報の送信履歴情報を管理する送信履歴情報管理データベースと、
からなり、
前記災害速報情報送信装置は、
前記災害情報検知装置から少なくとも災害種別ＩＤ、災害発生予定時刻、発生場所、および災害規模を含む前記災害情報を受信する災害情報受信部と、
前記送信履歴情報管理データベースから取得した前記送信履歴情報と前記災害情報受信部において受信された災害情報とを前記災害種別ＩＤおよび前記災害発生予定時刻に基づいて比較し、他の前記災害速報情報送信装置からの同一の災害に係る前記送信履歴情報の登録の有無を判定する比較処理部と、
前記判定の結果が未登録の場合に、前記災害情報受信部において受信された災害情報に係る新たな送信履歴情報を前記送信履歴情報データベースに登録すると共に、前記受信された災害情報を放送コンテンツに付加した前記災害速報情報を前記災害速報情報受信端末へ送信する災害速報情報送信部と、
前記送信履歴情報データベースに記憶された前記送信履歴情報の前記災害発生予定時刻と現在時刻とを比較し、前記災害発生予定時刻が前記現在時刻より過去の送信履歴情報を削除するタイマー管理処理部と、
を備えることを特徴とする災害速報情報送信システム。
【請求項２】
前記災害速報情報送信装置は、前記災害種別ＩＤ毎に予め定義され、前記災害情報を選別するフィルタ情報を記憶するフィルタ情報記憶部を更に備えており、
前記災害情報受信部は、受信された前記災害情報を前記フィルタ情報記憶部から取得した前記フィルタ情報に基づいて選別することを特徴とする請求項１記載の災害速報情報送信システム。
【請求項３】
前記送信履歴情報データベースは、２台の前記災害送信情報送信装置の間で共有されていることを特徴とする請求項１または請求項２記載の災害速報情報送信システム。
【請求項４】
災害情報検知装置において検知された災害情報を受信し、この災害情報に基づく災害速報情報を作成して災害速報情報受信端末へ送信する複数の災害速報情報送信装置が、前記災害情報検知装置から少なくとも災害種別ＩＤ、災害発生予定時刻、発生場所、および災害規模を含む前記災害情報を受信する災害情報受信ステップと、
前記災害速報情報送信装置が、前記災害速報情報送信装置における前記災害速報情報の送信履歴情報を管理する送信履歴情報管理データベースから取得した前記送信履歴情報と前記災害情報受信ステップにおいて受信された災害情報とを前記災害種別ＩＤおよび前記災害発生予定時刻に基づいて比較し、他の前記災害速報情報送信装置からの同一の災害に係る前記送信履歴情報の登録の有無を判定する比較処理ステップと、
前記災害速報情報送信装置が、前記比較処理ステップにおける判定の結果が未登録の場合に、前記災害情報受信ステップにおいて受信された災害情報に係る新たな送信履歴情報を前記送信履歴情報データベースに登録すると共に、前記受信された災害情報を放送コンテンツに付加した前記災害速報情報を前記災害速報情報受信端末へ送信する災害速報送信ステップと、
前記災害速報情報送信装置が、前記送信履歴情報データベースに記憶された前記送信履歴情報の前記災害発生予定時刻と現在時刻とを比較し、前記災害発生予定時刻が前記現在時刻より過去の送信履歴情報を削除するタイマー管理処理ステップと、
を有することを特徴とする災害速報情報送信方法。
【請求項５】
前記災害速報情報送信装置が、前記災害種別ＩＤ毎に予め定義され、前記災害情報を選別するフィルタ情報を取得するフィルタ情報取得ステップを更に有し、
前記災害情報受信ステップにおいて、前記災害速報情報送信装置が、受信された前記災害情報を前記フィルタ情報取得ステップにおいて取得した前記フィルタ情報に基づいて選別することを特徴とする請求項４記載の災害速報情報送信方法。
【発明の詳細な説明】
【技術分野】
【０００１】
本発明は、災害情報検知装置において検知された地震や津波等の災害情報を緊急速報として送信する災害速報情報送信システムおよび災害速報情報送信方法に関する。
【背景技術】
【０００２】
各地に配置された災害情報検知装置において地震、津波、大雪、洪水、雷などの各種災害の発生が検知されると、この検知情報に基づいて放送局等より災害情報を緊急速報として公衆に配信する災害速報情報送信システムが実用化されている。
【０００３】
例えば、気象庁から伝達された震度、地震発生時刻、震源地のデータが含まれた緊急災害速報を、配信サーバからＣＡＴＶ放送設備に位置する災害速報情報送信装置へ配信サーバと、この配信サーバから配信された緊急災害速報のデータと加入者位置情報とを演算して、震度および到達時間を含む案内放送データを生成し、この案内放送データをＦＭ変調してＣＡＴＶネットワークケーブルを介して加入者宅内の受信装置へ送信するＣＡＴＶ放送設備内の災害速報情報送信装置と、ＣＡＴＶネットワークケーブルと接続され、災害速報情報送信装置を介して案内放送データを受信して表示装置へ出力する家庭内受信装置と、を含む緊急災害速報送受信システムが知られている（特許文献１参照）。
【先行技術文献】
【特許文献】
【０００４】
【特許文献１】特開２００８−００９９４８号公報
【発明の概要】
【発明が解決しようとする課題】
【０００５】
しかしながら、上記のような従来技術においては、災害速報情報送信装置において複数の災害情報検知装置から同一の対象についての災害情報を受信した場合に、災害情報が重複して送信されるという問題があった。
【０００６】
そこで、本発明は、上記従来技術の問題に鑑み、災害速報情報の送信処理における重複送信を抑制可能な災害速報情報送信システムおよび災害速報情報送信方法を提供することを目的とする。
【課題を解決するための手段】
【０００７】
本発明に係る災害速報情報送信システムは、災害情報検知装置において検知された災害情報を受信し、この災害情報に基づく災害速報情報を作成して災害速報情報受信端末へ送信する複数の災害速報情報送信装置と、これらの災害速報情報装置に接続され、前記災害速報情報送信装置における前記災害速報情報の送信履歴情報を管理する送信履歴情報管理データベースと、からなり、前記災害速報情報送信装置は、前記災害情報検知装置から少なくとも災害種別ＩＤ、災害発生予定時刻、発生場所、および災害規模を含む前記災害情報を受信する災害情報受信部と、前記送信履歴情報管理データベースから取得した前記送信履歴情報と前記災害情報受信部において受信された災害情報とを前記災害種別ＩＤおよび前記災害発生予定時刻に基づいて比較し、他の前記災害速報情報送信装置からの同一の災害に係る前記送信履歴情報の登録の有無を判定する比較処理部と、前記判定の結果が未登録の場合に、前記災害情報受信部において受信された災害情報に係る新たな送信履歴情報を前記送信履歴情報データベースに登録すると共に、前記受信された災害情報を放送コンテンツに付加した前記災害速報情報を前記災害速報情報受信端末へ送信する災害速報情報送信部と、前記送信履歴情報データベースに記憶された前記送信履歴情報の前記災害発生予定時刻と現在時刻とを比較し、前記災害発生予定時刻が前記現在時刻より過去の送信履歴情報を削除するタイマー管理処理部と、を備えることを特徴とする。
【０００８】
本発明に係る災害速報情報送信方法は、災害情報検知装置において検知された災害情報を受信し、この災害情報に基づく災害速報情報を作成して災害速報情報受信端末へ送信する複数の災害速報情報送信装置が、前記災害情報検知装置から少なくとも災害種別ＩＤ、災害発生予定時刻、発生場所、および災害規模を含む前記災害情報を受信する災害情報受信ステップと、前記災害速報情報送信装置が、前記災害速報情報送信装置における前記災害速報情報の送信履歴情報を管理する送信履歴情報管理データベースから取得した前記送信履歴情報と前記災害情報受信ステップにおいて受信された災害情報とを前記災害種別ＩＤおよび前記災害発生予定時刻に基づいて比較し、他の前記災害速報情報送信装置からの同一の災害に係る前記送信履歴情報の登録の有無を判定する比較処理ステップと、前記災害速報情報送信装置が、前記比較処理ステップにおける判定の結果が未登録の場合に、前記災害情報受信ステップにおいて受信された災害情報に係る新たな送信履歴情報を前記送信履歴情報データベースに登録すると共に、前記受信された災害情報を放送コンテンツに付加した前記災害速報情報を前記災害速報情報受信端末へ送信する災害速報送信ステップと、前記災害速報情報送信装置が、前記送信履歴情報データベースに記憶された前記送信履歴情報の前記災害発生予定時刻と現在時刻とを比較し、前記災害発生予定時刻が前記現在時刻より過去の送信履歴情報を削除するタイマー管理処理ステップと、を有することを特徴とする。
【発明の効果】
【０００９】
本発明によれば、災害速報情報の送信処理における重複送信を抑制可能な災害速報情報送信システムおよび災害速報情報送信方法が提供される。
【図面の簡単な説明】
【００１０】
【図１】本発明の一実施形態に係る災害速報情報送信システムの全体構成例を示すブロック図。
【図２】図１に示す災害速報情報送信装置に適用されるコンピュータの構成例を示す図。
【図３】図１に示す災害速報情報送信装置の処理の具体例を示すフローチャート。
【図４】図１に示す災害情報受信部で受信される災害情報の具体例を示す図。
【図５】図１に示す災害情報受信部における災害情報の抽出例を示す図。
【図６】図１に示す送信履歴情報管理データベースに記憶される送信履歴情報の具体例を示す図。
【図７】図１に示すタイマー管理処理部の処理の具体例を示すフローチャート。
【図８】図１に示すタイマー管理処理部の処理を説明する図。
【図９】図１に示す災害速報送信装置における送信履歴情報の登録・削除処理を説明する図。
【発明を実施するための形態】
【００１１】
以下、本発明の実施形態について図面を用いて詳細に説明する。図１は、本発明の一実施形態に係る災害速報情報送信システムの全体構成例を示すブロック図である。同図に示されるように、本実施形態に係る災害情報送信システムは、第１系統および第２系統として識別される２台の災害速報情報送信装置１０に送信履歴情報管理データベース２０が接続されて構成されるコンピュータシステムである。各災害速報情報送信装置１０は、災害情報検知装置３０において検出された災害情報を受信し、この災害情報に基づく災害速報情報を作成してネットワーク４０を介して接続された災害速報情報受信端末５０へ送信するコンピュータである。また、送信履歴情報管理データベース２０は、災害速報情報送信装置１０における災害速報情報の送信履歴情報を管理するデータベースである。
【００１２】
図２は、図１に示す災害速報情報送信装置１０に適用されるコンピュータの構成例を示す図である。同図に示すように、災害速報情報送信装置１０に適用されるコンピュータは、ＣＰＵ（Central Processing Unit）６１、ＲＯＭ（Read Only Memory）６２、ＲＡＭ（Random Access Memory）６３、インターフェース６４、システムバス６５、入力装置６６、表示装置６７、補助記憶装置６８、および通信装置６９から構成される。
【００１３】
ＣＰＵ６１は、ＲＯＭ６２やＲＡＭ６３に格納されたプログラムやデータなどを用いて各種の演算処理を実行する処理装置である。ＲＯＭ６２は、コンピュータを機能させるための基本プログラムや環境ファイルなどを記憶する読み取り専用の記憶装置である。ＲＡＭ６３は、ＣＰＵ６１が実行するプログラムおよび各プログラムの実行に必要なデータを記憶する記憶装置であり、高速な読み出しと書き込みが可能である。インターフェース６４は、各種のハードウェアとシステムバス６５との接続を仲介する装置およびプログラムである。システムバス６５は、ＣＰＵ６１、ＲＯＭ６２、ＲＡＭ６３、およびインターフェース６４で共有される情報伝達路である。
【００１４】
また、インターフェース６４には、入力装置６６、表示装置６７、補助記憶装置６８、および通信装置６９などのハードウェアが接続されている。入力装置６６は、ユーザからの入力を処理する装置であり、例えばキーボードやマウスなどである。表示装置６７は、ユーザに対して演算結果や作成画面などを表示する装置であり、例えばＣＲＴ、液晶ディスプレイ、プラズマディスプレイなどである。補助記憶装置６８は、プログラムやデータを蓄積する大容量の記憶装置であり、例えばハードディスク装置などである。
【００１５】
また、図１に示されるように、第１系統の災害速報情報送信装置１０は、制御部１０１、入出力部１０２、フィルタ情報記憶部１０３、災害情報受信部１０４、比較処理部１０５、放送コンテンツ記憶部１０６、災害速報情報送信部１０７、タイマー管理処理部１０８、を機能として有している。尚、第２系統の災害速報情報送信装置１０も同様の機能を有するものとする。
【００１６】
制御部１０１は、災害速報情報送信装置１０の各部に指令情報を出力し、動作制御を行う中央処理装置（ＣＰＵ）である。
【００１７】
入出力部１０２は、マウスやキーボードなどの入力装置６６を介して入力された情報の取得する機能、災害速報情報送信装置１０の各部における処理情報を液晶ディスプレイなどの表示装置６７に出力する機能を有するプログラム（インターフェース）である。
【００１８】
フィルタ情報記憶部１０３は、災害情報を選別するために災害種別毎に予め定義されたフィルタ情報を記憶する記憶装置である。送信を行うべき情報の判断はシステム管理者が閾値を事前に決定し、入出力部１０２より設定する。このフィルタ情報の具体例としては、災害情報の災害発生予定時刻が過去のもの、地震の規模が事前に設定している閾値を超えているもの、明らかに誤報と判断できるもの等を排除する条件が該当する。
【００１９】
災害情報受信部１０４は、専用ネットワーク等（図示省略する）を介して接続された災害情報検知装置３０から少なくとも災害種別ＩＤ、災害発生予定時刻、発生場所、および災害規模を含む災害情報を受信するプログラムである。また、災害情報受信部１０４は、フィルタ情報記憶部１０３に記憶されたフィルタ情報に基づいて受信した災害情報が送信対象か否かを選別する機能を有する。そして、送信対象の災害情報でない場合には受信された情報を破棄し、受信待機状態となる。また、送信対象の災害情報である場合には比較処理部１０５へ出力する。
【００２０】
比較処理部１０５は、送信履歴情報管理データベース２０から取得した送信履歴情報と災害情報受信部１０４において受信された災害情報とを災害種別ＩＤおよび災害発生予定時刻に基づいて比較し、他系統の災害速報情報送信装置１０による同一の災害に係る送信履歴情報の登録の有無を判定するプログラムである。
【００２１】
放送コンテンツ記憶部１０６は、災害情報が付加される各種の放送コンテンツを記憶する記憶装置である。
【００２２】
災害速報情報送信部１０７は、判定の結果が未登録の場合に、送信対象となる災害情報についての送信履歴情報を送信履歴情報管理データベース２０に登録すると共に、災害情報受信部１０４において受信された災害情報を放送コンテンツ記憶部１０６に記憶された放送コンテンツに付加した放送コンテンツを災害速報情報として災害速報情報受信端末５０へ送信するプログラムである。災害速報情報を災害速報情報受信端末５０へ送信する前に、予約情報として送信履歴情報を送信履歴情報管理データベース２０へ登録することで、重複送信を回避する。
【００２３】
タイマー管理処理部１０８は、送信履歴情報管理データベース２０に記憶された送信履歴情報の災害発生予定時刻と現在時刻とを比較し、災害発生予定時刻が現在時刻より過去の送信履歴情報を削除するプログラムである。
【００２４】
以下、上記のように構成された災害速報情報送信システムの動作を図面に基づいて詳細に説明する。図３は、図１に示す災害速報情報送信装置１０の処理の具体例を示すフローチャートである。
【００２５】
Ｓ３０１において、災害情報受信部１０４は、災害情報検知装置３０から送信された災害情報を受信する。図４は、図１に示す災害情報受信部１０４で受信される災害情報の具体例を示す図である。ここでは、災害情報がＸＭＬ形式で送信され、“<Group>”タグの各々が１レコードに対応することが示されている。
【００２６】
Ｓ３０２において、災害情報受信部１０４は、フィルタ情報記憶部１０３からフィルタ情報を取得し、受信された災害情報が送信対象か否かを判定する。ここで、送信対象の災害情報と判定された場合には、Ｓ３０３へ進む。これに対し、送信対象でないと判定された場合には、受信した災害情報を保存せずに処理を終了する。図５は、図１に示す災害情報受信部１０４における災害情報の抽出例を示す図である。ここでは、フィルタ情報記憶部１０３から取得されたフィルタ情報が“災害発生予定時刻≧現在時刻”、“マグニチュード≦１０”の２つのフィルタ情報に基づいて受信された災害情報が選別されることが示されている。
【００２７】
Ｓ３０３において、比較処理部１０５は、災害種別ＩＤと災害発生予定時刻に基づいて送信履歴情報管理データベース２０を参照し、同一の災害に係る災害速報の送信履歴情報の有無、すなわち、他系統により登録された送信履歴情報が存在するか否かを判定する。ここで、該当する送信履歴情報が無しと判定された場合には、Ｓ３０４へ進む。これに対し、該当する送信履歴情報が有りと判定された場合には、他系統で災害速報が送信済みのため、処理を終了する。
【００２８】
Ｓ３０４において、災害速報情報送信部１０７は、送信履歴情報を送信履歴情報管理データベース２０へ保存する。図６は、図１に示す送信履歴情報管理データベース２０に記憶される送信履歴情報の具体例を示す図である。ここでは、第２系統の災害速報情報送信装置１０において二つの災害情報が抽出されているが、送信履歴情報管理データベース２０に記憶された送信履歴情報を参照すると、地震の規模がＭ４．３の災害速報が第１系統の災害速報情報送信装置１０において送信済みあるいは送信予定となっていることから、送信履歴情報の登録は行われない。一方、地震の規模がＭ２．３の災害速報は未送信であるため、第２系統の災害速報情報送信装置１０（災害速報情報送信部１０７）より送信履歴情報が登録される。
【００２９】
Ｓ３０５において、災害速報情報送信部１０７は、受信された災害情報を放送コンテンツ記憶部１０６に記憶された放送コンテンツに付加して災害速報コンテンツ（災害速報情報）を作成する。  
Ｓ３０６において、災害速報情報送信部１０７は、作成された災害速報コンテンツを災害速報情報受信端末５０へ送信する。
【００３０】
Ｓ３０７において、災害速報情報送信部１０７は、送信した災害速報コンテンツに係る災害種別ＩＤおよび災害発生予定時刻をタイマー管理処理部１０８に出力し、一時記憶領域（図示省略する）に保存させ、処理を終了する。
【００３１】
図７は、図１に示すタイマー管理処理部１０８の処理の具体例を示すフローチャートである。  
Ｓ７０１においては、システムクロック（図示省略する）より現在時刻を取得する。  
Ｓ７０２においては、災害速報情報送信部１０７より出力され、一時記憶領域（図示省略する）において保持されている災害発生予定時刻の一覧と取得された現在時刻とを比較し、災害発生予定時刻が過去の情報が存在するか否かを判定する。ここで、該当する情報が存在すると判定された場合には、Ｓ７０３へ進む。これに対し、該当する情報が存在しないと判定された場合には、処理を終了する。
【００３２】
Ｓ７０３においては、災害種別ＩＤと災害発生予定時刻に基づいて送信履歴情報管理データベース２０から該当する送信履歴情報を削除し、処理を終了する。図８は、図１に示すタイマー管理処理部１０８の処理を説明する図である。ここでは、送信履歴情報管理データベース２０に記憶された送信履歴情報が時刻の経過に応じて順次削除される様子が示されている。例えば、送信履歴情報（１）中には災害発生予定時刻が“１０：００：０１”の送信履歴情報が存在するが、現在時刻が“１０：００：０１”となると、この情報が第１系統の災害速報情報送信装置１０（タイマー管理処理部１０８）によって削除される。同様に、送信履歴情報（２）中には災害発生予定時刻が“１０：０１：３０”の送信履歴情報が存在するが、現在時刻が“１０：０１：３０”となると、この情報が第２系統の災害速報情報送信装置１０（タイマー管理処理部１０８）によって削除される。
【００３３】
図９は、図１に示す災害速報情報送信装置１０における送信履歴情報の登録・削除処理を説明する図である。ここでは、第１系統および第２系統の災害速報情報送信装置１０の各々で災害情報検知装置３０から送信された災害情報が受信され、送信履歴情報の登録状況に応じて新たに送信履歴情報が登録されることが示されている。例えば、時刻Ｔ１において第１系統の災害速報情報送信装置１０で災害Ａに係る災害情報が受信された場合、送信履歴情報管理データベース２０に記憶された送信履歴情報を参照すると未登録であるため、第１系統の災害速報情報送信装置１０（災害速報情報送信部１０７）により新たに送信履歴情報が登録される。
【００３４】
これに対し、時刻Ｔ２において第２系統の災害速報情報送信装置１０で災害Ａに係る災害情報が受信された場合、災害Ａについては登録済みのため、第２系統の災害速報情報送信装置１０（災害速報情報送信部１０７）による新たな送信履歴情報の登録は行われない。すなわち、災害Ａに係る災害速報情報は第１系統の災害速報情報送信装置１０より送信される。災害Ｂについても第１系統の災害速報情報送信装置１０が先に受信し、第１系統の災害速報情報送信装置１０（災害速報情報送信部１０７）により送信履歴情報の登録が行われているため、同様に処理される。また、災害Ａに係る災害発生予定時刻が時刻Ｔ５である場合には、第１系統の災害速報情報送信装置１０（タイマー管理処理部１０８）は現在時刻Ｔ５において災害Ａに係る送信履歴情報を削除する。また、時刻Ｔ５において第２系統の災害速報情報送信装置１０で災害Ｃに係る災害情報が受信された場合、送信履歴情報管理データベース２０に記憶された送信履歴情報を参照すると未登録であるため、第２系統の災害速報情報送信装置１０（災害速報情報送信部１０７）により新たに送信履歴情報が登録される。すなわち、災害Ｃに係る災害速報情報は第２系統の災害速報情報送信装置１０より送信される。
【００３５】
このように、災害速報情報送信装置１０を二重化することにより、災害速報情報送信装置１０の一方にハードウェアの障害等が発生した場合でも災害速報情報の送信が可能となるため、システムの可用性が向上する。また、一度送信した災害速報情報の送信履歴情報を保持することにより、重複送信を回避できる。更に、災害速報情報の送信後、送信履歴情報が不要になった時点で情報をクリアすることにより、災害速報情報受信端末５０側には必要最小限の情報のみを送信することが可能となる。
【００３６】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。実施形態に示される全構成要素から幾つかの構成要素を削除してもよい。例えば、上記実施形態においては、災害速報情報送信装置１０の台数を２台としたが、装置の台数は３台以上であっても良く、システムの可用性を更に高めることが可能となる。また、災害情報受信部１０４を冗長化すると好適である。この場合、複数の災害情報検知装置３０から送信される災害情報を同時に並列して受信可能となる。
【符号の説明】
【００３７】
１０…災害速報情報送信装置、
２０…送信履歴情報管理データベース、
３０…災害情報検知装置、
４０…ネットワーク、
５０…災害速報情報受信端末、
６１…ＣＰＵ、
６２…ＲＯＭ、
６３…ＲＡＭ、
６４…インターフェース、
６５…システムバス、
６６…入力装置、
６７…表示装置、
６８…補助記憶装置、
６９…通信装置、
１０１…制御部、
１０２…入出力部、
１０３…フィルタ情報記憶部、
１０４…災害情報受信部、
１０５…比較処理部、
１０６…放送コンテンツ記憶部、
１０７…災害速報情報送信部、
１０８…タイマー管理処理部。
【図１】
2010237801.tif 000003
【図２】
2010237801.tif 000004
【図３】
2010237801.tif 000005
【図４】
2010237801.tif 000006
【図５】
2010237801.tif 000007
【図６】
2010237801.tif 000008
【図７】
2010237801.tif 000009
【図８】
2010237801.tif 000010
【図９】
2010237801.tif 000011